【手続補正書】
【提出日】平成26年8月18日(2014.8.18)
【手続補正１】
【補正対象書類名】明細書
【補正対象項目名】発明の名称
【補正方法】変更
【補正の内容】
【発明の名称】管理システム、サーバ装置、管理方法およびコンピュータプログラム
【手続補正２】
【補正対象書類名】特許請求の範囲
【補正対象項目名】全文
【補正方法】変更
【補正の内容】
【特許請求の範囲】
【請求項１】
画像形成装置と、少なくとも前記画像形成装置の動作を切り替える動作設定情報を含む管理情報を管理するサーバ装置とを備える管理システムであって、
前記サーバ装置は、
前記画像形成装置の第１の識別情報を発行する発行手段と、
前記発行された第１の識別情報を記憶する第１の記憶手段と、
前記画像形成装置の管理情報と前記第１の識別情報との対応情報を装置情報として生成する生成手段と、
前記生成された装置情報を記憶する第２の記憶手段と、
前記画像形成装置から、ネットワークを介して、前記画像形成装置の前記第１の識別情報と該画像形成装置の第２の識別情報とを含む前記装置情報の取得要求を受け付ける要求受け付け手段と、
前記第１の記憶手段に前記装置情報の取得要求が含む第１の識別情報が記憶されているかを判断する判断手段と、
前記判断手段が前記第１の記憶手段に前記装置情報の取得要求が含む第１の識別情報が記憶されていると判断した場合に、前記第２の記憶手段が記憶している装置情報のうち、前記装置情報の取得要求が含む前記第１の識別情報に対応する装置情報を特定し、該特定した装置情報が含む第１の識別情報を前記装置情報の取得要求が含む前記第２の識別情報に置き換えることによって、前記特定した装置情報を更新する更新手段と、
前記更新手段が前記装置情報を更新した後、前記第１の記憶手段が記憶している前記装置情報の取得要求が含む第１の識別情報を削除する削除手段と、
前記装置情報の取得要求に対する応答として、前記更新された装置情報を前記ネットワークを介して前記画像形成装置に送信する送信手段とを備える
ことを特徴とする管理システム。
【請求項２】
前記第１の記憶手段は、前記第１の識別情報を該第１の識別情報の有効期限と対応付けて記憶し、
前記更新手段は、前記要求受け付け手段が前記装置情報の取得要求を受け付けた場合に、前記第１の記憶手段に、前記装置情報の取得要求が含む第１の識別情報であって、対応する有効期限が経過していない第１の識別情報が記憶されているかを判断し、
前記第１の記憶手段に、前記装置情報の取得要求が含む第１の識別情報であって、対応する有効期限が経過していない第１の識別情報が記憶されていない場合に、前記更新手段は、前記装置情報の取得要求が含む前記第１の識別情報に対応する装置情報の更新を実行せず、前記送信手段は、前記装置情報の取得要求に対する応答を実行しない
ことを特徴とする請求項１に記載の管理システム。
【請求項３】
前記発行手段は、前記情報処理装置から前記第１の識別情報の発行要求を受け付け、該受け付けた第１の識別情報の発行要求に応じて、該第１の識別情報を発行し、
前記生成手段は、前記情報処理装置から前記装置情報の生成要求を受け付け、該受け付けた装置情報の生成要求に応じて、該装置情報を生成する
ことを特徴とする請求項１または請求項２に記載の管理システム。
【請求項４】
前記管理情報が、前記画像形成装置が適用対象とするソフトウェアに関する情報を含む
ことを特徴とする請求項１乃至３のいずれか１項に記載の管理システム。
【請求項５】
少なくとも画像形成装置の動作を切り替える動作設定情報を含む管理情報を管理するサーバ装置であって、
前記画像形成装置の第１の識別情報を発行する発行手段と、
前記発行された第１の識別情報を記憶する第１の記憶手段と、
前記画像形成装置の管理情報と前記第１の識別情報との対応情報を装置情報として生成する生成手段と、
前記生成された装置情報を記憶する第２の記憶手段と、
前記画像形成装置から、ネットワークを介して、前記画像形成装置の前記第１の識別情報と該画像形成装置の第２の識別情報とを含む前記装置情報の取得要求を受け付ける要求受け付け手段と、
前記第１の記憶手段に前記装置情報の取得要求が含む第１の識別情報が記憶されているかを判断する判断手段と、
前記判断手段が前記第１の記憶手段に前記装置情報の取得要求が含む第１の識別情報が記憶されていると判断した場合に、前記第２の記憶手段が記憶している装置情報のうち、前記装置情報の取得要求が含む前記第１の識別情報に対応する装置情報を特定し、該特定した装置情報が含む第１の識別情報を前記装置情報の取得要求が含む前記第２の識別情報に置き換えることによって、前記特定した装置情報を更新する更新手段と、
前記更新手段が前記装置情報を更新した後、前記第１の記憶手段が記憶している前記装置情報の取得要求が含む第１の識別情報を削除する削除手段と、
前記装置情報の取得要求に対する応答として、前記更新された装置情報を前記ネットワークを介して前記画像形成装置に送信する送信手段とを備える
ことを特徴とするサーバ装置。
【請求項６】
前記第１の記憶手段は、前記第１の識別情報を該第１の識別情報の有効期限と対応付けて記憶し、
前記更新手段は、前記要求受け付け手段が前記装置情報の取得要求を受け付けた場合に、前記第１の記憶手段に、前記装置情報の取得要求が含む第１の識別情報であって、対応する有効期限が経過していない第１の識別情報が記憶されているかを判断し、
前記第１の記憶手段に、前記装置情報の取得要求が含む第１の識別情報であって、対応する有効期限が経過していない第１の識別情報が記憶されていない場合に、前記更新手段は、前記装置情報の取得要求が含む前記第１の識別情報に対応する装置情報の更新を実行せず、前記送信手段は、前記装置情報の取得要求に対する応答を実行しない
ことを特徴とする請求項５に記載のサーバ装置。
【請求項７】
前記発行手段は、前記情報処理装置から前記第１の識別情報の発行要求を受け付け、該受け付けた第１の識別情報の発行要求に応じて、該第１の識別情報を発行し、
前記生成手段は、前記情報処理装置から前記装置情報の生成要求を受け付け、該受け付けた装置情報の生成要求に応じて、該装置情報を生成する
ことを特徴とする請求項５または請求項６に記載のサーバ装置。
【請求項８】
前記管理情報が、前記画像形成装置が適用対象とするソフトウェアに関する情報を含む
ことを特徴とする請求項５乃至７のいずれか１項に記載のサーバ装置。
【請求項９】
少なくとも画像形成装置の動作を切り替える動作設定情報を含む管理情報を管理するサーバ装置における管理方法であって、
前記サーバ装置が、前記画像形成装置の第１の識別情報を発行する工程と、
前記サーバ装置が、前記発行された第１の識別情報を第１の記憶手段に記憶する工程と、
前記サーバ装置が、前記画像形成装置の管理情報と前記第１の識別情報との対応情報を装置情報として生成する工程と、
前記サーバ装置が、前記生成された装置情報を第２の記憶手段に記憶する工程と、
前記サーバ装置が、前記画像形成装置から、ネットワークを介して、前記画像形成装置の前記第１の識別情報と該画像形成装置の第２の識別情報とを含む前記装置情報の取得要求を受け付ける工程と、
前記サーバ装置が、前記第１の記憶手段に前記装置情報の取得要求が含む第１の識別情報が記憶されているかを判断する工程と、
前記サーバ装置が、前記第１の記憶手段に前記装置情報の取得要求が含む第１の識別情報が記憶されていると判断した場合に、前記第２の記憶手段が記憶している装置情報のうち、前記装置情報の取得要求が含む前記第１の識別情報に対応する装置情報を特定し、該特定した装置情報が含む第１の識別情報を前記装置情報の取得要求が含む前記第２の識別情報に置き換えることによって、前記特定した装置情報を更新する工程と、
前記サーバ装置が、前記装置情報を更新した後、前記第１の記憶手段が記憶している前記装置情報の取得要求が含む第１の識別情報を削除する工程と、
前記サーバ装置が、前記装置情報の取得要求に対する応答として、前記更新された装置情報を前記ネットワークを介して前記画像形成装置に送信する工程とを有する
ことを特徴とする管理方法。
【請求項１０】
請求項９に記載の管理方法をコンピュータに実行させることを特徴とするコンピュータプログラム。
【手続補正３】
【補正対象書類名】明細書
【補正対象項目名】００１１
【補正方法】変更
【補正の内容】
【００１１】
本発明の一実施形態の管理システムは、画像形成装置と、少なくとも前記画像形成装置の動作を切り替える動作設定情報を含む管理情報を管理するサーバ装置とを備える。前記サーバ装置は、前記画像形成装置の第１の識別情報を発行する発行手段と、前記発行された第１の識別情報を記憶する第１の記憶手段と、前記画像形成装置の管理情報と前記第１の識別情報との対応情報を装置情報として生成する生成手段と、前記生成された装置情報を記憶する第２の記憶手段と、前記画像形成装置から、ネットワークを介して、前記画像形成装置の前記第１の識別情報と該画像形成装置の第２の識別情報とを含む前記装置情報の取得要求を受け付ける要求受け付け手段と、前記第１の記憶手段に前記装置情報の取得要求が含む第１の識別情報が記憶されているかを判断する判断手段と、前記判断手段が前記第１の記憶手段に前記装置情報の取得要求が含む第１の識別情報が記憶されていると判断した場合に、前記第２の記憶手段が記憶している装置情報のうち、前記装置情報の取得要求が含む前記第１の識別情報に対応する装置情報を特定し、該特定した装置情報が含む第１の識別情報を前記装置情報の取得要求が含む前記第２の識別情報に置き換えることによって、前記特定した装置情報を更新する更新手段と、前記更新手段が前記装置情報を更新した後、前記第１の記憶手段が記憶している前記装置情報の取得要求が含む第１の識別情報を削除する削除手段と、前記装置情報の取得要求に対する応答として、前記更新された装置情報を前記ネットワークを介して前記画像形成装置に送信する送信手段とを備える。